(57)【要約】【課題】  最後にステープルを打ち出して綴じ込み作業がされた後に、ステープラの挙動に変化をもたせることによって、次の作業にかかる前にステープラの空状態を認識させるようにした新規なステープラの開発を試みたものである。【解決手段】  本発明のステープラＡは、ステープル整列体Ｓ０を収納するステープルマガジン１と、ドライバ２と、クリンチ体３とを具えた紙葉Ｐの綴じ込みを行うステープラＡにおいて、前記プッシャ１５先端には、告知作用突起１５１が設けられるものであり、この告知作用突起１５１は、すべてのステープル単体Ｓ１の打ち出しが終了した後には、弾性復帰するドライバプレート２２に対し係止し、その上方への復帰を阻止するものであることを特徴として成るものである。【選択図】図１
2012045653.tif 000002
【特許請求の範囲】
【請求項１】
ステープル整列体を収納するステープルマガジンと、ステープル単体を打ち出すドライバプレートを有するドライバと、打ち出されたステープルのピン脚部を折り返し状に屈曲案内するクリンチ体とを具え、マガジン内に整列して収納されるステープル整列体をプッシャによりステープルマガジン先端側に付勢し、その上方からドライバプレートにより最前部にあるステープル単体を押圧し、ステープルマガジン先端下方の打出孔から打ち出し、この打ち出されたステープル単体のピン脚部が複数枚の紙葉を貫いた後、クリンチ体により案内されて屈曲し紙葉の綴じ込みを行うステープラにおいて、
前記プッシャ先端には、告知作用突起が設けられるものであり、この告知作用突起は、すべてのステープル単体の打ち出しが終了した後には、弾性復帰するドライバプレートに対し係止し、その上方への復帰を阻止するものであり、一方ドライバプレートには、前記告知作用突起の係合受部が設けられるともに、ドライバ又はプッシャには、ドライバプレートに係止したプッシャを後方に押し戻して係止状態を解除する復帰操作片が設けられていることを特徴とするステープラ。
【請求項２】
前記告知作用突起は、プッシャの前端面に左右対設され、ステープル整列体の最終部のステープル単体のピン脚部を常時押圧するとともに、告知作用突起の上部には後傾したドライバ案内面が形成され、一方前記ドライバは、ドライバプレートにおける打込端の上方胴部が幅狭状に構成され、この段差面を係合受部としたことを特徴とする前記請求項１記載のステープラ。
【請求項３】
前記復帰操作片は、ドライバカバーの先端中央に設けられ、可撓性を有するアーム部が下方に垂下状態に形成され、その下方前面を操作受部とするとともに、その後面には押圧突起を形成し、この押圧突起は、ドライバプレートを貫通してその後方に位置するプッシャを後方に押し戻す構成としたことを特徴とする前記請求項１または２記載のステープラ。
【発明の詳細な説明】
【技術分野】
【０００１】
本発明は、手指の押圧操作によりステープルを打ち出し、紙葉等のシート体を簡易に綴じ合わせるステープラに関するものであって、特にステープルマガジン内の最後のステープル単体を使い切って、これが無くなった際に、操作感に変化を持たせてその状況を知らせることができるようにした新規なステープラの機構に係るものである。
【背景技術】
【０００２】
ステープラは、各種紙資料類を簡易に綴じまとめる器具として普及している。このものは、多数のステープル単体を緩接合させたステープル整列体がステープルマガジンに収容され、このものがドライバにより順次打ち出されながら用いられているものである。
この作業において、ステープル整列体のすべてのステープル単体が用いられてステープルマガジンのステープル単体がなくなった場合であっても、格別この状態を告知するような手段は取られておらず、結果的に次にドライバを操作してピンを打ち出そうとしたとき、いわゆる空打ち状態となって、ステープル単体がないことに初めて気付かされる。
当然ながら、ステープル止め作業には、その前作業として綴じ合わせる紙葉の整列作業が伴うものであり、その整列作業は、作業者がかなり意識を集中して行うことから、集中した作業がされた後にステープラが空打ちになった場合には、作業者にとって、大げさに言えば心理的な落胆感、徒労感を抱かせるものであった。
【０００３】
このようなことからステープルが無くなったことを積極的に告知する手段の必要も考慮され、例えばアイデアとしては、実開平５−１６１５９号のように、ステープルマガジンが空になったときに視覚的に表示がでるものが提案されている（特許文献１）。しかしながら、この手法は、別途警告板等の部材を設けたりする必要があり、現行機構を更に大幅に改変しなければならず、結果的に商品として実用化されるまでには至っていない。
【先行技術文献】
【特許文献】
【０００４】
【特許文献１】実開平５−１６１５９号公報
【発明の概要】
【発明が解決しようとする課題】
【０００５】
本発明は、これらの種々の背景を考慮してなされたものであって、最後にステープルを打ち出して綴じ込み作業がされた後に、ステープラの挙動に変化をもたせることによって、次の作業にかかる前にステープルの空状態を認識させるようにした新規なステープラの開発を試みたものである。
【課題を解決するための手段】
【０００６】
請求項１記載のステープラは、ステープル整列体を収納するステープルマガジンと、ステープル単体を打ち出すドライバプレートを有するドライバと、打ち出されたステープルのピン脚部を折り返し状に屈曲案内するクリンチ体とを具え、マガジン内に整列して収納されるステープル整列体をプッシャによりステープルマガジン先端側に付勢し、その上方からドライバプレートにより最前部にあるステープル単体を押圧し、ステープルマガジン先端下方の打出孔から打ち出し、この打ち出されたステープル単体のピン脚部が複数枚の紙葉を貫いた後、クリンチ体により案内されて屈曲し紙葉の綴じ込みを行うステープラにおいて、前記プッシャ先端には、告知作用突起が設けられるものであり、この告知作用突起は、すべてのステープル単体の打ち出しが終了した後には、弾性復帰するドライバプレートに対し係止し、その上方への復帰を阻止するものであり、一方ドライバプレートには、前記告知作用突起の係合受部が設けられるともに、ドライバ又はプッシャには、ドライバプレートに係止したプッシャを後方に押し戻して係止状態を解除する復帰操作片が設けられていることを特徴として成るものである。
【０００７】
請求項２記載のステープラは、前記要件に加え、前記告知作用突起については、プッシャの前端面に左右対設され、ステープル整列体の最終部のステープル単体のピン脚部を常時押圧するとともに、告知作用突起の上部には後傾したドライバ案内面が形成され、一方前記ドライバは、ドライバプレートにおける打込端の上方胴部が幅狭状に構成され、この段差面を係合受部としたことを特徴として成るものである。
【０００８】
請求項３記載のステープラは、前記要件に加え、前記復帰操作片については、ドライバカバーの先端中央に設けられ、可撓性を有するアーム部が下方に垂下状態に形成され、その下方前面を操作受部とするとともに、その後面には押圧突起を形成し、この押圧突起は、ドライバプレートを貫通してその後方に位置するプッシャを後方に押し戻す構成としたことを特徴として成るものである。
【発明の効果】
【０００９】
まず請求項１記載の発明によれば、最後のステープル単体がドライバによって打ち出された後には、付勢されているプッシャが更に前に移動し、そこに設けられている告知作用突起がドライバにおけるドライバプレートが上方に戻らないように押さえ込み、結果的にドライバの戻りが通常感じている定常戻りストロークよりはるかに少ない告知ストロークに変化させ、これにより作業者は、通常状態との相違を操作している指先で感じ、後続作業のためにステープルの補充作業を行うものであり、いわゆる空打ち状態が回避される。
【００１０】
また請求項２記載の発明によれば、告知作用突起は、プッシャの両側部に対称的に設けられており、これに対応してドライバも胴部を細身にすることにより、係止段部によって告知作用突起の係合作用を受けるものであり、バランス良くドライバの復帰阻止を行うことができる。
【００１１】
また請求項３記載の発明によれば、復帰操作片をプッシャ前面部を押すような位置に設けており、プッシャの戻し操作もバランス良く行い得る。
【図面の簡単な説明】
【００１２】
【図１】本発明のステープラを示す斜視図であり、作動状態を説明する側面図を示すものである。
【図２】同上ステープラの構成部材を分解して示す側面図である。
【図３】同上ステープラのドライバプレートの部位を分解して示す側面図である。
【図４】同上平面図である。
【図５】同上ステープラの定常時の作動状態を示す側面図である。
【図６】同上ステープラのステープルの使い切り状態での、その告知作用を示す側面図である。
【発明を実施するための形態】
【００１３】
本発明を実施するための形態は、以下述べる実施例をその一つとするものであるとともに、この技術思想に基づく種々の改良した実施例も含むものである。
【実施例１】
【００１４】
以下、本発明のステープラＡを図示の実施例に基づいて具体的に説明する。
ステープラＡは、ステープルＳを収納するステープルマガジン１と、ステープルＳを押し出すドライバ２と、押し出されたステープルＳを曲成するクリンチ体３と、それらをすべて回動接続させる一本の回動基軸４を主要部材とする。
【００１５】
まず操作対象となるステープルＳについて説明する。ステープルＳは、使用されるにあたっては複数のステープル単体Ｓ１が互いに緩接合されたステープル整列体Ｓ０として構成され、ステープル整列体Ｓ０がステープルマガジン１のセットに際に用いられる。
ステープル単体Ｓ１は、それぞれ横コ字状の形態を有し、適宜の規格に沿った寸法を有するものであり、その中央平面部をクラウン部ＳＣとし、そのクラウン部ＳＣ両端から下がる部位をピン脚部ＳＰとする。
なお、本明細書においては、ステープル整列体Ｓ０、或いはステープル単体Ｓ１を格別分けて説明する必要が無い場合には、それらを総称してステープルＳとして説明する。
【００１６】
次に各主要部材について説明する。
まずステープルマガジン１は、本体部となるトラフレール１１を有するものであり、一例として金属素材のものがチャンネル状に曲成されて構成され、その内側がマガジントラフ１１Ａとなり、ステープル整列体Ｓ０が収納される。
そしてトラフレール１１の先端には先端規制板１２があり、この先端規制板１２は、それぞれトラフレール１１の左右側板を曲成することにちなみ、中央に縦方向に伸びる先端スリット１２Ａを具える。更に、前記ステープルマガジン１のトラフレール１１の先端側には、先端規制板１２の下端部に臨むように打出孔１３が形成されている。
【００１７】
なお、以下の説明においては、先端、前端、前方或いは後端、後方という向きの定義に関しては、ステープラＡにおいて、ステープルＳを打ち出す側を先端、前端、前方と記し、その反対側の部位を後端、後方として記載する。また上下方向については、ステープルを打ち出すドライバ２の待機状態側を上方として、打ち出す側を下方として定義する。
【００１８】
次にステープルマガジン１におけるステープルＳの付勢構造について説明する。
ステープルマガジン１にあっては、収納したステープルＳを打出孔１３側へ付勢する構造については、種々の構成が採られているが、一例として比較的シンプルなプッシャガイドロッド１４を用いたものを構成について例示する。即ちプッシャガイドロッド１４は、前記トラフレール１１におけるマガジントラフ１１Ａの中央に長手方向に沿って設けられるものであり、プッシャ１５を摺動自在に支持している。そして、プッシャスプリング１６がプッシャ１５とプッシャガイドロッド１４の後方との間に縮設されており、このプッシャスプリング１６の付勢により、マガジントラフ１１Ａ内に収めたステープルＳの付勢を行う。
なお本発明は、プッシャ１５とドライバ２において特徴的な構成を有するものであるが、まずこれら特徴的な構成に先立ち全体的なステープラＡの説明を行う。
【００１９】
次にドライバ２について説明する。
このドライバ２は、ドライバアーム２１を具え、一例としてそのドライバアーム２１が前記トラフレール１１を覆うような長さに設けられており、その先端にドライバプレート２２が設けられている。なおドライバアーム２１は、使用感を向上させるため樹脂製のドライバカバー２３により覆われている。更にドライバ２は、押えアーム２４を付設するものであり、この押えアーム２４は、マガジントラフ１１Ａ内のステープルＳの上方を押さえ込むとともに、このものとドライバアーム２１との間のリターンスプリング２６によりステープルＳの打ち出し後のドライバ２の復帰を促すようにしている。
【００２０】
一方前記ステープルマガジン１の下方には、クリンチ体３が設けられている。このクリンチ体３は、前記ステープルマガジン１の長手方向とほぼ近い長さ寸法を有するものであり、その前端部にクリンチ溝３１が形成され、一方他端（後方）側には、ピボット支持部３２が両側に立ち上げ状態に設けられている。そしてクリンチ体３は、そのリーフスプリング状のマガジンセットスプリング３３をやや後方寄りに具え、クリンチ体３とステープルマガジン１とが常時離反し、その間に綴じ合わされる紙葉Ｐを常に受け入れるようにしている。なおクリンチ体３もドライバ２と同様に使用感を向上させるため樹脂製の下部カバー３４により覆われている。
そしてこれらの部材がすべて回動基軸４において、一体に回動自在に接続されている。
【００２１】
以上述べた構成がステープラＡの基本構成であるが、本発明では次のような特徴的な構成が採用されている。
まずステープルマガジン１におけるプッシャ１５は、そのプッシャ本体部１５０に対して前端部に告知作用突起１５１を設ける。この告知作用突起１５１は、一例として図１に示すようにプッシャ本体部１５０の前端面両側に、縦方向にリブ状に突出形成されるものであり、その下端を係止段部１５２とする。一方その上方部は、上端に向かうにつれて後方に傾斜するように形成されており、これをドライバ案内面１５３としている。またプッシャ本体部１５０には、手動操作によりこれをマガジントラフ１１Ａ内で後方に押し戻し、ステープル整列体Ｓ０をセットすることに備え、指掛かりが充分得られるよう、操作突起１５４がその上面に形成されている。
【００２２】
一方これに対応するドライバ２におけるドライバプレート２２は、その打込端２２Ａに対し、その上方の胴部が幾分か幅狭になり、結果的に形成された段差を係合受部２２Ｂとしている。後述するようにこの部位に前記プッシャ１５における告知作用突起１５１が係止する状態となる。またドライバプレート２２は、その係合受部２２Ｂより幾分か上方中央に解除孔２２Ｃが設けられるものであり、この解除孔２２Ｃを通して以下述べる復帰操作片２５の解除操作ができるように構成されている。
即ち復帰操作片２５は、ドライバカバー２３と一体であって、その前端中央において下方に伸びるようなアーム部２５１を具え、その下端部近くを操作受部２５２とするとともに操作受部２５２の反対側の後面に、後方に向いた状態に押圧突起２５３がピン状に突出している。
【００２３】
本発明は、以上述べたような構成を有するものであり、次のように作用してステープルＳの最後のステープル単体Ｓ１が使用されたときに、ステープルＳが空状態となったことを告知する。
まず通常の使用においては、ステープルマガジン１内に、常法に従い、ステープル整列体Ｓ０を収納し、その状態でステープルマガジン１とクリンチ体３との間に綴じ合わされる紙葉Ｐを位置させた状態で、ドライバ２をクリンチ体３側に打ち込むように握り込むような手動操作をする。
これによりステープルマガジン１のマガジントラフ１１Ａ内において先端規制板１２に接触状態に付勢されていたステープル整列体Ｓ０の最先端のステープル単体Ｓ１は、ドライバ２におけるドライバプレート２２による上方からの押圧を受け、ステープル整列体Ｓ０との緩接合が解除されるとともに、ピン脚部ＳＰが紙葉Ｐを貫き、更にクリンチ体３に至り、クリンチ溝３１の湾曲した案内形状に従い塑性変形し、多くはピン脚部ＳＰを互いにその先端を接近させるような曲げ込みがなされて、紙葉Ｐの綴じ込みを行う。
【００２４】
そして、このような綴じ込み作業が終わったのちは、次の操作に備え、殆んど無意識であるが作業者はドライバ２の押圧の解除を行う。このような押圧の解除により、前記ステープルマガジン１と、クリンチ体３とは、マガジンセットスプリング３３により両者の離反がなされ、更にステープルマガジン１とドライバ２とは、ドライバ２がリターンスプリング２６の作用で離反し、結果的に図１、５、６に示すようにクリンチ体３からのドライバ２の上端までの寸法は、定常戻りストロークＨ０を確保している。
【００２５】
このような作業を続け、ステープルＳが使い切られてなくなった場合の空状態の告知状態は、次のように行われる。即ち最後のステープル単体Ｓ１は、プッシャ１５の前記告知作用突起１５１によって、その両側のピン脚部ＳＰが押し出されて、先端規制板１２に押し当てられた状態となり、打出孔１３の上方に待機した状態となる。
このとき、通常の使用状態にしたがいドライバ２を打ち込めば、先の作用と同様に最後のステープル単体Ｓ１は、紙葉Ｐをピン脚部ＳＰが貫き、クリンチ体３によりその折り曲げがなされ、通常の綴じ込み作業が完了する。そして、この際ドライバ２におけるドライバプレート２２が最後のステープル単体Ｓ１を押しながら、クリンチ体３に接近すると、図６（ｂ）に示すように打込端２２Ａが下死点に臨む状態となる。  因みにこのときプッシャ１５における告知作用突起１５１には、上方にドライバ案内面１５３が形成されているから、ドライバプレート２２の下方への移動が円滑になされる。
【００２６】
このとき前記プッシャ１５は、プッシャスプリング１６の作用により、常時先端規制板１２側に付勢されているから、プッシャ１５が押していたステープル単体Ｓ１がなくなると同時に、告知作用突起１５１は先端規制板１２側に当接するまで前進する。この位置は、当然ながらドライバ２のドライバプレート２２の上下方向の移動軌跡上であり、ドライバプレート２２は、打込端２２Ａの上方両側にある係合受部２２Ｂがプッシャ１５における告知作用突起１５１の係止段部１５２より下方に位置する。
この状態で作業者は、殆んど無意識にドライバ２を押す力を緩め、これを復帰させるのであるが、ドライバ２におけるドライバプレート２２は、係合受部２２Ｂの上方にプッシャ１５における告知作用突起１５１が位置しているから、前記係止段部１５２がドライバプレート２２の上方への戻りを阻止する状態を現出させる。
これによりドライバ２は、通常の復帰ストロークを得られないことになり、この告知ストロークＨ１への変化は、手動操作による場合は極めて明確に感じられ、綴じ込み完了操作とともに作業者にその操作に違和感を感じさせ、最後のステープル単体Ｓ１を押し出したことを認識させることができる。
このようなときには使用者は、いわば不意を突かれることなくステープルＳの空状態を認識し、ステープル整列体Ｓ０の補充作業に移るのである。
【００２７】
ところでこのようなステープルＳの再補充にあたっては、当然ながら告知作用突起１５１によるドライバプレート２２の移動阻止状態を解除しなければならない。このための復帰操作片２５による終了告知状態の解除について説明する。
終了告知状態は、ドライバプレート２２の係合受部２２Ｂの上方にプッシャ１５における告知作用突起１５１が係合している状態である。この状態を解除するには、ドライバ２のドライバカバー２３の前端中央から下方に下がるように形成された復帰操作片２５の操作受部２５２を押圧することにより行う。
この操作により復帰操作片２５の押圧突起２５３は、ドライバプレート２２の中心に設けられた解除孔２２Ｃを通り、更にその後方に位置しているプッシャ１５の前端中央部を後方に押し戻すのである。因みにこのとき操作受部２５２は、側面視で上方が幾分か突き出すような楔状をしているが、これは図６（ｄ）に矢印で示すように操作した指の押圧ができるだけ押圧突起２５３の近くに作用するようにしているのである。
これによりプッシャ１５は後方に押し戻され、告知作用突起１５１の係止段部１５２と、ドライバプレート２２の係合受部２２Ｂとの係合が解除され、ドライバプレート２２は、リターンスプリング２６の作用を受けて、上方の定常位置に復帰するのである。
このような状態では、ステープルマガジン１に対し、ドライバ２側が上方に解放離反できるものであり、常法の操作を行いステープルマガジン１におけるマガジントラフ１１Ａ内にステープル整列体Ｓ０をセットし、以後のステープルＳによる綴じ込み作業を行う。
【００２８】
〔他の実施の形態〕
本発明は以上述べた実施の形態を一つの基本的な技術思想とするものであるが、要は最後のステープル単体Ｓ１を押し出したときに、ドライバ２の復帰阻止すればよいものであり、この目的が達成限りで前記構成を限定するものではない。要は、プッシャ１５の最前端への移動により、ドライバ２の戻りを阻止できる構成であればよい。
またステープル空状態を告知した状態でのプッシャ１５とドライバプレート２２との係合を解除するにあたっては、プッシャ１５を収納しているステープルマガジン１のトラフレール１１の側面を一部スリット等で開放状態としておき、プッシャ１５の側胴面を手操作で摘むことができるようにしてプッシャ１５を直線後方に戻すようにすることも差し支えない。
【符号の説明】
【００２９】
Ａ      ステープラ
Ｓ      ステープル
１      ステープルマガジン
２      ドライバ
３      クリンチ体
４      回動基軸
１      ステープルマガジン
１１    トラフレール
１１Ａ  マガジントラフ
１２    先端規制板
１２Ａ  先端スリット
１３    打出孔
１４    プッシャガイドロッド
１５    プッシャ
１５０  プッシャ本体部
１５１  告知作用突起
１５２  係止段部
１５３  ドライバ案内面
１５４  操作突起
１６    プッシャスプリング
２      ドライバ
２１    ドライバアーム
２２    ドライバプレート
２２Ａ  打込端
２２Ｂ  係合受部
２２Ｃ  解除孔
２３    ドライバカバー
２４    押えアーム
２５    復帰操作片
２５１  アーム部
２５２  操作受部
２５３  押圧突起
２６    リターンスプリング
３      クリンチ体
３１    クリンチ溝
３２    ピボット支持部
３３    マガジンセットスプリング
３４    下部カバー
４      回動基軸
Ｓ      ステープル
ＳＣ    クラウン部
ＳＰ    ピン脚部
Ｓ０    ステープル整列体
Ｓ１    ステープル単体
Ｐ      紙葉
Ｈ０    定常戻りストローク
Ｈ１    告知ストローク
【図１】
2012045653.tif 000003
【図２】
2012045653.tif 000004
【図３】
2012045653.tif 000005
【図４】
2012045653.tif 000006
【図５】
2012045653.tif 000007
【図６】
2012045653.tif 000008